(57)【特許請求の範囲】
【請求項１】
硬質合成樹脂又は繊維強化樹脂からなるＵ字溝であって、断面Ｕ字形状の壁を形成し、その壁底部から左右の壁側部の上部へと延びる凹条部位及び凸条部位を交互に、Ｕ字溝の長手方向に連続形成することにより、波形に成形された、硬質合成樹脂又は繊維強化樹脂からなるＵ字溝本体と、該本体の左側、右側又は左右両側の壁側部の外表面に付された、地下水流入孔の穿設すべき箇所を視認することができる複数の標識マークを備えてなる、Ｕ字溝であって、
前記標識マークは、ドリル先端部の形状に対応する略円錐状の窪みであり、かつ、複数の前記標識マークは、高さが各々異なる前記高さ位置に付されていることを特徴とする、Ｕ字溝。
【請求項２】
前記標識マークは、Ｕ字溝本体の底面より該本体の高さの１／４ないし３／４の範囲内の高さ位置に付されていることを特徴とする、請求項１記載のＵ字溝。
【発明の詳細な説明】
【０００１】
【発明の属する技術分野】
本発明は、農業用及び工業用水路及び排水路、並びに一般土木用水路及び排水路に用いることが出来るＵ字溝に関する。
【０００２】
【従来の技術】
山野の土木開発現場や一般道路の側溝や排水路として使用されるＵ字溝は、軟弱地盤地域、特に山野などの傾斜面を伴う地域に埋設される場合において、降雨時に、その据え付け位置が不安定となることがある。雨水は地面から吸収されると地中を伝わって下方に流れ、中には埋設されているＵ字溝の外壁側部に接触し、その後その水はＵ字溝の外壁側部から底面に沿ってさらに下方に流れ、水位の上昇した地下水と相俟ってＵ字溝周辺の土壌を徐々に侵食していくことによるものと考えられている。このような状況を放置すれば、Ｕ字溝周辺の土壌は次第に削られ、Ｕ字溝の位置ずれ、並びにＵ字溝の周辺の地面の陥没等を引き起こし、最悪の場合にはＵ字溝の水の流路としての機能を発揮出来なくなることもあり得る。
一方、従来から、Ｕ字溝の浮上防止の為に、浮上防止材を備えたＵ字溝に関する文献は幾つか知られている（特開昭６１−１６２６４５号、特開平２−３９９１３号等）。これらは棒体等を浮上防止材としてＵ字溝に設け、施工時に土で覆って固定した後埋設する、或いは土中にアンカリングする等の方法である。
【０００３】
【発明が解決しようとする課題】
しかしながら、普通のＵ字溝はもとより、前述の浮上防止材を備えたＵ字溝であっても、特に傾斜面の脇に埋設された場合とか、降雨量が多い地域であるとか、地盤が軟弱で吸水しやすい場合である等の悪条件下においては、降雨時にＵ字溝周辺の土壌、特に浮上防止材を固定する為に覆われていた土壌が、地中に吸収された水や上昇した地下水によって次第に侵食されて流されてしまう可能性が高まる。即ち、従来のＵ字溝では、その周辺の土壌の水による侵食を防止する有効な解決には至っていない。
その為、特に降雨時において、このＵ字溝周辺の土壌を水の浸食から保護し、Ｕ字溝がその機能を常に安定した状態で発揮することが出来るようなＵ字溝を提供できる技術が望まれている。
【０００４】
本発明は、上記の従来技術を背景にして完成されたものであって、硬質合成樹脂又は繊維強化樹脂からなるＵ字溝であって、断面Ｕ字形状の壁を形成し、その壁底部から左右の壁側部の上部へと延びる凹条部位及び凸条部位を交互に、Ｕ字溝の長手方向に連続形成することにより、波形に成形された、硬質合成樹脂又は繊維強化樹脂からなるＵ字溝本体と、該本体の左側、右側又は左右両側の壁側部の外表面に付された、地下水流入孔の穿設すべき箇所を視認することができる複数の標識マークを備えてなる、Ｕ字溝であって、
前記標識マークは、ドリル先端部の形状に対応する略円錐状の窪みであり、かつ、複数の前記標識マークは、高さが各々異なる前記高さ位置に付されていることを特徴とする、Ｕ字溝に関する。
また本発明の別の好ましい態様は、前記標識マークは、Ｕ字溝本体の底面より該本体の高さの１／４ないし３／４の範囲内の高さ位置に付されていることを特徴とするＵ字溝に関する。
【０００５】
前述したように、埋設されているＵ字溝周辺の土壌の侵食は、Ｕ字溝の左側、右側又は左右の両壁側部に各々１ないし複数個の孔を地下水流入孔として設けることにより防止することが可能である。すなわち、降雨時に地中に吸収され、本来Ｕ字溝側部に接触しその後底部に向かって流れるはずの雨水、及びＵ字溝側部にまで水位の上昇した地下水を、この地下水流入孔からＵ字溝内へ流入させることにより、Ｕ字溝周辺の水を速やかに排出することで、Ｕ字溝底部から壁側部付近の土壌の水による侵食の防止につながるのである。
【０００６】
しかしながら、作業員が施工現場にて、Ｕ字溝に地下水流入孔を設ける為に何の目印もなく目測にて穿設を行えば、その位置、特に高さ位置は必ずしも一定せず、地下水流入孔を施したＵ字溝は本来の効果を十分に発揮出来ないことになると考えられる。地下水流入孔の為の穿設箇所は、全くの任意に決定できるわけではなく、特定の箇所及び範囲内に、Ｕ字溝の敷設地域によってはその範囲が非常に狭いことが要求される場合もあり得る為、何の目印もなしに、目測によって正確な位置に地下水流入孔の為の穿設を行うことは熟練の作業員であっても困難である。従って、目的とする位置を正確に穿設することが出来るよう、Ｕ字溝の壁側部にあらかじめ標識マーク、すなわち前述の地下水流入孔の穿設すべき箇所を視認することができる標識マークを施すことが非常に重要となってくる。それによって、作業員は該標識マークを目標に穿設出来るので、熟練者はもちろん、初心者にとっても作業し易く、目測にて穿設を行った場合よりも地下水流入孔の穿設位置がはるかに正確となる。
【０００７】
降雨時、地中に吸収された雨水の一部は、地中の水脈（水路）を通って、埋設されたＵ字溝に達する。この場合、Ｕ字溝の壁側部に地下水流入孔が穿設されていると、Ｕ字溝周辺に到達した地下水は、地下水流入孔よりＵ字溝の内部に流れ入る。一般に、埋設されたＵ字溝の周辺には相当の土圧がかかっている為、地下水は勢い良くＵ字溝内に流入する。又降雨後において、又寒暖の変化により、地中の地下水の水位は一般に変動する。従って、地下水位がＵ字溝の壁側部にまで上昇したとき、Ｕ字溝の壁側部に地下水流入孔が穿設されていると、その地下水は該流入孔よりＵ字溝の内部に流入する。しかして、Ｕ字溝周辺の地下水をＵ字溝内の流路を通して流し去ることが出来るので、本発明のＵ字溝は、地下水流入孔の穿設によって、地下水によるＵ字溝周辺の土壌の侵食を有効に防止することが出来る。
従って、かかる排水機能が有効に発揮される為には、図１に示すように、地下水流入孔の、特にＵ字溝本体の壁側部における高さ位置は、降雨或いは環境温度変化等により予測される通常の地下水位の高さより低い位置に設定する必要がある。仮に、地下水流入孔の高さ位置が地下水位より高いと、地下水のＵ字溝内への流入が困難となる（図１参照）。より具体的には、地下水流入孔、つまり、その穿設箇所を視認し得る標識マークのうち実際に穿設されるマークの高さ位置は、Ｕ字溝が埋設される地域の降水量や土壌の性質、地下水脈の状況等を考慮した上で定められる。
なお、地下水流入孔がＵ字溝の壁側部に穿設されていても、その孔が相対的に小さいだけでなく、埋設されたＵ字溝の周辺には相当の土圧がかかっている為、Ｕ字溝内を流れる水が地下水流入孔を通ってＵ字溝の外に流れ出る恐れは殆どない。
【０００８】
また、地下水位の高さは、地域によって当然異なる。従って、例えば、降雨量の比較的多い地域では地下水流入孔の高さ位置を相対的に高めに設定し、比較的少ない地域では逆に相対的に低めに設定することが必要となり、又、雨水が地中に吸収されにくい粘土質土壌であるときは、地下水流入孔の数をより増加する等の配慮が必要となってくる。従って、前述の標識マークは単一の高さ位置にのみ付されるのではなく、何箇所かの異なる高さ位置に付されることが望ましい。なお、標識マークは通常、Ｕ字溝の長手方向に沿って、例えば２０ｃｍないし５０ｃｍ位の間隔で複数箇所に付される。かかる構成により、埋設する地域の降雨量や土壌の性質等を考慮に入れて、いくつかの異なる高さ位置にある標識マークの中より適当な高さ位置の標識マークを選択し、しかもＵ字溝の長手方向に適当な数だけ穿設することが可能となる。地下水流入孔の位置、すなわちその穿設すべき箇所を視認することができる標識マークの位置の範囲は、降雨時にＵ字溝内を流れる水がＵ字溝の高さのおおよそ１／４程度にまで上昇することがあり、その水が地下水流入孔から外部の土壌へ滲み出すことを防止する意味で、該マークの位置の下限は、Ｕ字溝本体の底面より該本体の高さの１／４程度に設定することが好ましく、又降雨量が多く、地盤が軟弱な地域であっても、地下水位や地中に吸収された雨水がＵ字溝壁側部に接触する高さがＵ字溝の高さの３／４以上に上昇する可能性は低いと考えられることから、該マークの位置の上限は、Ｕ字溝本体の底面より該本体の高さの３／４程度に設定することが好ましい。
【０００９】
さらに、Ｕ字溝本体が、Ｕ字溝の壁底部から左右の壁側部の上部へと延びる凹条部位及び凸条部位を交互に、Ｕ字溝の長手方向に連続形成することにより波形に成形されている場合であって、凹条部位の外表面に地下水流入孔の位置を視認し得る標識マークを付するとき、或いはＵ字溝の壁側部の外面に突出したリブ部に地下水流入孔の位置を視認し得る標識マークを付する場合には、該地下水流入孔の位置を視認し得る標識マークは、Ｕ字溝内を上流側から下流側に流れる水流の方向に対して、直角ないし鋭角に交わるように地下水流入孔が形成され得るような構成であることが好ましい。該水流の方向に対して鈍角に交わるように地下水流入孔が形成され得る場合、Ｕ字溝内の水位が地下水流入孔の高さ位置にまで達したとき、その水がＵ字溝中の水の流れに乗って、該地下水流入孔より外部土壌に滲み出やすくなる為である。
【００１０】
また、該標識マークの付される箇所として、Ｕ字溝本体の左側、右側、又は左右の壁側部の外表面が、埋設前の穿設作業のしやすさの点から好ましいが、作業性に極端に支障がなければ必要に応じて内表面に付されても構わない。また、該標識マークは、略円錐状の窪み、細溝、細線カット、梨地模様面、及び着色マークからなる群から選択されることが好ましい。これらの形態は任意でよいが、目視で確認すべきものであるので、出来れば目立ち易いものが好ましい。例えば、着色マークの色であれば黄色系、緑色系、赤色系等、形状であれば円形、三角形、四角形等、模様であれば粗面化した梨地模様や、或いはドリルの先端に対応した窪みであってもよい。該マークは塗装、研磨加工、対応する成形型面の加工等によって容易に施すことが出来る。
【００１１】
本発明の地下水流入孔の穿設すべき箇所を視認することができる標識マークを備えてなるＵ字溝は、傾斜地での施工の他、平地での埋設にももちろん適用され得る。例えば、平地で施工する場合にはマーク部分を穿設せずにそのまま使用し、一方、傾斜面での施工では前述のように適切な位置のマークを目標に穿設して地下水流入孔を施す等、現場の状況に応じて用途を使い分けることが出来る。本発明の地下水流入孔の穿設すべき箇所を視認することができる標識マークを備えてなるＵ字溝の材質としては、ポリエチレン樹脂、ポリ塩化ビニル、ポリプロピレン、ポリエチレンテレフタレート、ポリアミド、ポリフェニレンスルフィド等の硬質合成樹脂、並びにＦＲＰ、ＦＲＴＰ等の繊維強化樹脂が望ましい。Ｕ字溝本体の形状としては、本来のＵ字形の他、壁底部から垂直に立ち上がった形状、上部に向けてやや外開きに立ち上がった形状をとってもよい。本発明のＵ字溝はブロー成形、回転成形等により成形できる。また、Ｕ字溝に地下水流入孔の為の穿設を施した上に、さらに従来のようなＵ字溝浮上防止材を同時に用いてももちろん構わない。それによって、埋設されているＵ字溝周辺の土壌の水による侵食防止と共に、浮上防止の効果も併せて発揮されることが期待できる。
【００１２】
【実施例】
図面を参照して本発明をさらに詳しく説明する。以下の実施例は本発明を限定することを目的とするものではない。
【００１３】
実施例１．
本発明のＵ字溝の一態様を図２ないし図４に示す。図２は本実施例のＵ字溝１を説明する図であり、図３は図２に示すＵ字溝１の平面図であり、図４は、その側面図である。Ｕ字溝１は、例えば幅１８０ｍｍ、２４０ｍｍ、３００ｍｍ、４００ｍｍ、５００ｍｍ、６００ｍｍ、７００ｍｍ、８００ｍｍ、９００ｍｍ、１０００ｍｍの寸法規格を有する各種製品よりなり、いずれも直壁タイプである。
図２ないし図４から明らかなように本実施例において、ポリエチレン樹脂からなるＵ字溝本体２は、左右の壁側部４、４が各々、壁底部３から垂直に立ちあがった形状をなし、壁底部３から左右の壁側部４、４の上部へと延びる凹条部位５・・および凸条部位６・・を交互にＵ字溝１の長手方向に連続形成することにより、波形に成形されている。
図２、及び図４に示すように、Ｕ字溝本体左右の壁側部４の上部へと延びる凹条部位５・・、及び外方に突出するリブ部１５には、地下水流入孔の穿設すべき箇所を視認することができる標識マーク１２が、ドリル先端部の形状に対応する形状の窪みに成形されて付されている。該標識マークは、Ｕ字溝内を上流側から下流側に流れる水流の方向に対して直角ないし鋭角に交わるように地下水流入孔１３が形成され得るような構成となっており、地下水流入孔１３を穿設して埋設した後、Ｕ字溝本体中を流れる水が、その流れに乗って地下水流入孔より外部の土壌へ滲み出ることを有効に防いでいる。又、該標識マークは、高さが各々異なる高さ位置に複数付されている為、埋設する地域の降雨量や土壌の性質等を考慮に入れて、いくつかの異なる高さ位置にある標識マークの中より適当な高さ位置の標識マークを選択し、しかもＵ字溝の長手方向に適当な数だけ地下水流入孔を穿設することが可能である。
さらに、図２および図４に示すように、Ｕ字溝本体２の底部には浮上防止材支持溝部３１が形成され、そして浮上防止材としてＵ字溝１の幅より長い角アングル材３０が挿通され支持されている。これにより、本発明のＵ字溝周辺の土壌の侵食防止の効果と併せて、Ｕ字溝の浮上防止の効果が期待できる。
図６は、図３中のＡ−Ａ線で切断したＵ字溝本体２の凸条部位６の断面図を示すが、この図から明らかなように、凸条部位６・・は壁底部３からそのまま左右の壁側部４、４の上端まで延び、架け渡し材受け部８、８を形成する。
図３中のＢ−Ｂ線で切断したＵ字溝本体２の凹条部位５の断面図である、図７から明らかであるように、凹条部位５・・は左右の壁側部４、４の上部において、内方に反った形状５ａ・・をとりながら左右の壁側部４、４の上端まで延び、上端から外方に延びて前記架け渡し材受け部８、８に繋がっている。この形状は、Ｕ字溝１の敷設後に、Ｕ字溝本体２の弱い部分である左右の壁側部４、４の上部付近に加わる種々の荷重方向からの土圧に対しより一層の剛性を与えるものである。
図２および図３に示すように、左右の架け渡し材受け部８、８には凸条部位６・・の上部位置に、長手方向に対して一定の間隔で孔８ａ・・が対となって穿設されているので、図１１及び図１２に示すように、この部分に図１０に示す両端に孔７ａ、７ａが穿設された樹脂製の断面略Ｌ字形アングル材７Ａを取付けることができる。本実施例ではこのようにＵ字溝本体２自体に架け渡し材を受ける部分を有しているので架け渡し材を使用するにあたって架け渡し材を配置するための他の補助部材を必要としない。
断面略Ｌ字形のアングル材７Ａは、その両端に穿設された孔７ａ、７ａと、架け渡し材受け部の孔８ａ、８ａとを位置合せし、リベット９で鋲着することによりＵ字溝本体２上部に固定できる。リベット９は図１３に示す形状をもち、Ｕ字溝本体２と同じ材質からなる樹脂製であるが他の硬質合成樹脂または繊維強化樹脂も使用できる。このリベット９の使用により、架け渡し材の取り付けは、ネジやボルト・ナット等による場合に比べて非常に簡単である。
また、図１０（ｃ）に示すこの断面略Ｌ字形アングル材７Ａの孔７ａの無い面は、その両端部が切り欠かれており、孔７ａのある面（図１０（ｂ））よりもその短く設計されている。従って、孔７ａの無い面（図１０（ｃ））を下向きにＵ字溝本体２内に取り付けることができる。
この断面略Ｌ字形のアングル材７Ａの横架によって、本発明のＵ字溝１はＵ字溝本体２の両壁側部４、４にかかる土圧に対しさらに高い剛性を得ることができ、Ｕ字溝本体２の変形を防止できる。しかも、断面略Ｌ字形のアングル材７Ａは、上向きに突出することなく取付けられるので、Ｕ字溝の埋設において作業者の安全をより確保することが出来る。
なお、断面略Ｌ字形のアングル材７Ａに加えて、他の架け渡し材として、図１４に示す、断面Ｌ字形のアングル材７Ｂを併用することが出来る。断面Ｌ字形のアングル材７Ｂは、図３、図１５、及び図１６に示すように、その両端部をＵ字溝壁側部４、４上部の両側を押し開くようにしてＵ字溝本体壁側部４、４に設けられた受け凹部９、９に単に嵌めこむことで取付け可能であり、ネジやボルト、ナットならびにリベット等の固定具を必要としないので、取り付けを迅速に進めることができる。また断面Ｌ字形のアングル材７Ｂは、Ｌ字形の折れ曲がり部分の山側を上にして使用するので、取り付け後にＵ字溝上面から突出せず、作業者の安全をより確保することが出来る。上記アングル材Ａ及びアングル材Ｂを併用して横架することにより、Ｕ字溝１はＵ字溝本体２の両壁側部４、４にかかる土圧に対しさらに高い剛性を得ることが出来、Ｕ字溝本体２の変形を防止することが出来る。
本実施例のＵ字溝１は、Ｕ字溝本体２の壁底部３の下側に浮上防止材として図８に示すような、Ｕ字溝本体２と同じ樹脂よりなり、Ｕ字溝１の幅よりも長い断面Ｌ字形状の角アングル材３０を備えている。
図９にその詳細を示すように、Ｕ字溝本体２は、その中央部分の壁底部３の凹条部位５とその両側に隣接する２つの凸条部位６、６が、浮上防止角アングル材３０の両アングル面部をそれぞれ挟持できるような構造の浮上防止材支持溝部３１を形成するように成形されている。そして浮上防止角アングル材３０はＵ字溝本体壁底部３下側の溝部３１に一方側から反対側にわたって挿通させて、Ｕ字溝本体２の両壁側部４、４よりも外方に突出するように取りつけられる。従って、浮上防止角アングル材３０をＵ字溝本体２に取り付けるためのネジやボルト・ナット又は、リベット等の固定具は必要とならない。浮上防止角アングル材３０の取り付け構造は、極めて簡単な構成からなる。従って、本発明のＵ字溝本体２の成形後に何ら加工を要することが無く、また、この浮上防止材の取り付け作業は非常に簡単である。
上記実施例に挙げた本発明のＵ字溝本体２にはまた、図２ないし図４に示すように、左右の壁側部４、４のやや下部よりに、一定の間隔で、凹条部位５・・および凸条部位６・・にわたって外方に突出するリブ部１５・・が設けられており、Ｕ字溝本体２にさらに一層の剛性を与えている。さらにこのリブ部１５・・もまた、土中に埋設した場合にＵ字溝壁側部４，４よりも外側に突出するところの部分であり、ここに土砂が堆積しその荷重が負荷されるためＵ字溝本体２の浮上を防ぐ。
また、本実施例のＵ字溝本体２の一端部は、図３および図４に示すように、内壁の大きさが他の部分よりもやや大きく設計された外嵌接続部２ａとなっており、他端部を内嵌接続部２ｂとして他のＵ字溝本体２が接続できるように設計されている。２つのＵ字溝本体を接続する場合、外嵌接続部２ａがリブ部１５を含めて内嵌接続部２ｂを被うように嵌合される。また、接続方法は、接続部の水漏れを最小にするため、水の流れ方向がＵ字溝本体２の内嵌接続部２ｂから他のＵ字溝本体２の外嵌接続部２ａに向かう方向となるように接続することが好ましい。
【００１４】
以上説明したように、本発明のＵ字溝は、左側、右側又は左右両側の壁側部の外表面に、地下水流入孔の穿設すべき箇所を視認することができるドリル先端部の形状に対応する略円錐状の窪みからなる標識マークを備えてなるものである。従って、作業員は該マークを目標に穿設出来るので、熟練者はもちろん、初心者にとってもドリルを用いた穿設作業をし易く、しかも目測にて穿設を行った場合よりも地下水流入孔の穿設位置の高さ精度がはるかに正確となる。又地下水流入孔の穿設により、降雨時に地中に浸透する水や水位の上昇した地下水によるＵ字溝周辺の土壌の侵食が防止され、Ｕ字溝が常に安定した状態でその機能を発揮することが可能となる。さらに、前記標識マークは単一の高さ位置にだけでなく、各々異なる高さ位置に付されることにより、Ｕ字溝を埋設する地域の降雨量や土壌の性質等を考慮に入れて適切な高さ位置にあるマークを選択し、穿設することが可能となる。さらに、Ｕ字溝本体が、その壁底部から左右の壁側部の上部へと延びる凹条部位及び凸条部位を交互に、Ｕ字溝の長手方向に連続形成することにより波形に成形されている場合において、前記標識マークが、前記凹条部位の外表面のうち、Ｕ字溝内を流れる水流の方向に対して上流側部分に付されていることにより、又、前記Ｕ字溝本体が、その左右の壁側部の外面に、外方に突出するリブ部を設けてなる場合において、前記標識マークが、該リブ部のうち、上流側部分、つまりＵ字溝内を上流側から下流側に流れる水流の方向に対して、直角ないし鋭角に交わるように地下水流入孔が形成され得るような位置に付されていることにより、Ｕ字溝内の水位が地下水流入孔の高さ位置にまで達し、その水がＵ字溝中の水の流れに乗って、該地下水流入孔より外部土壌に滲み出ることを有効に防止することが出来る。さらに前記標識マークは、略円錐状の窪みという目立ちやすい形態で付されることにより、作業員は穿設位置が視覚で容易に確認でき、地下水流入孔の穿設作業がしやすくなる。
【図面の簡単な説明】
【図１】Ｕ字溝内の水位と地下水位及び地下水流入孔の位置関係を説明する図である。
【図２】本発明のＵ字溝の一態様を説明する図である。
【図３】本発明のＵ字溝の一態様を示すＵ字溝の平面図である。
【図４】図２に示すＵ字溝の側面図である。
【図５】図３のＣ部分を拡大した図である。
【図６】図３のＡ−Ａ線で切断したＵ字溝本体の凸条部位の断面図である。
【図７】図３のＢ−Ｂ線で切断したＵ字溝本体の凹条部位の断面図である。
【図８】本発明のＵ字溝の浮上防止材としての角アングル材の平面図（ａ）および正面図（ｂ）である。
【図９】Ｕ字溝本体壁底部の浮上防止材支持溝部において図８の角アングル材が挿通された状態を示す図である。
【図１０】本発明のＵ字溝に横架する架け渡し材としての断面略Ｌ字形アングル材の平面図（ａ）、正面図（ｂ）および側面図（ｃ）である。
【図１１】Ｕ字溝本体の架け渡し材受け部において図１０のアングル材を架け渡した状態を上方からみた部分図である。
【図１２】図１１のＣ−Ｃ線で切断した断面図である。
【図１３】角アングル材を固定するためのリベットの平面図（ａ）および正面図（ｂ）である。
【図１４】本発明のＵ字溝に横架する架け渡し材としての断面Ｌ字形アングル材の正面図（ａ）、平面図（ｂ）である。
【図１５】図１４に示すアングル材をＵ字溝本体の受け凹部に嵌めこんだ状態を上方から見た部分図である。
【図１６】図１５のＤ−Ｄ線で切断した断面図である。
【符号の説明】
１    Ｕ字溝
２    Ｕ字溝本体
３    壁底部
４    壁側部
５    凹条部位
５ａ  内方に反った形状
６    凸条部位
７Ａ  断面略Ｌ字形アングル材
７Ｂ  断面Ｌ字形アングル材
８    架け渡し材受け部
９    リベット
１０  受け凹部
１２  地下水流入孔の穿設すべき箇所を視認することができる標識マーク
１３  地下水流入孔
１５  リブ部
２０  補強材
３０  浮上防止角アングル材
３１  浮上防止材支持溝部
【図１】
0003605725.tif 000002
【図２】
0003605725.tif 000003
【図３】
0003605725.tif 000004
【図４】
0003605725.tif 000005
【図５】
0003605725.tif 000006
【図６】
0003605725.tif 000007
【図７】
0003605725.tif 000008
【図８】
0003605725.tif 000009
【図９】
0003605725.tif 000010
【図１０】
0003605725.tif 000011
【図１１】
0003605725.tif 000012
【図１２】
0003605725.tif 000013
【図１３】
0003605725.tif 000014
【図１４】
0003605725.tif 000015
【図１５】
0003605725.tif 000016
【図１６】
0003605725.tif 000017